(57)【特許請求の範囲】
【請求項１】
板状の太陽電池と、複数の前記太陽電池を積み重ねた状態で収納する筒体とを用意し、
前記筒体は、前記筒体の下端に設けられた下蓋体と、前記下蓋体の上方で、前記筒体の内側に圧入され、前記太陽電池の緩衝材となる上下移動可能な前記太陽電池を保持する移動体とを有し、
前記筒体の上方に移動体を設置し、前記移動体の上に前記太陽電池を配置しながら前記移動体を下に移動させていく事を特徴とした太陽電池を筒体に収納する方法。
【請求項２】
前記太陽電池の表面には顔料または微粒子の混入された凹凸のある透明樹脂フィルムが配置されており、
前記筒体に前記太陽電池を配置させる際、表面がつや消し状態で積み重ねられる請求項１に記載の事を特徴とした太陽電池を筒体に収納する方法。
【発明の詳細な説明】
【０００１】
【発明の属する技術分野】
本発明は、太陽電池の収納構造に関する。
【０００２】
【従来の技術】
従来の太陽電池の収納構造が、例えば、実開昭６２−６８２５７号に開示され、複数の凹状収納部を有するパレットを用いるものである。この収納構造は、凹状収納部に、板状の太陽電池を収納し、太陽電池の受光面側を上にした状態で、この上に順番に、受光面の汚れを防止するための保護紙、発泡ウレタン等からなる緩衝材を配置している。そして、これらを一セットとして、パレットを上に重さねて収納する構造である。
【０００３】
【発明が解決しようとする課題】
このような従来の収納構造においては、パレット、保護紙、緩衝材等の多くの材料を使用するので包装材料に無駄が多く、単位体積あたりに収納される太陽電池数が少なかった。
【０００４】
本発明は、上述のような問題点を解決するために成されたものであり、包装材料の無駄を少なくし、単位体積あたりの収納数を多くする収納構造を提供することを目的とする。
【０００５】
【課題を解決するための手段】
本発明の主要な構成は、板状の太陽電池と、複数の前記太陽電池を積み重ねた状態で収納する筒体とを備えることを特徴とする。
【０００６】
【発明の実施の形態】
本発明の一実施例を、図面を用いて、詳細に説明する。
【０００７】
図1は、収納状態の本実施例を示し、図２は、本実施例の分解斜視図である。図において、１は、アルミニウム等からなる両端を開口した筒体であり、この筒体１は、その側面に、下端から上端に至るスリット１ｓを有すると共に、その内面には、上下方向に延在して下端から上端に至る凸部１ｐを有している。
【０００８】
２は、略円形で板状の複数の太陽電池であって、この外周部には、太陽電池２を腕時計等の電子機器に組み込んだときに固定するために利用する切り込み部２ｂを有している。また、太陽電池２の中央には、腕時計に組み込んだときに、指針の回転軸が通るための開口２ｃが設けられている。
【０００９】
太陽電池２としては、ポリイミド等の耐熱性樹脂基板の上に、金属裏面電極層／アモルファスシリコン層／透明導電層／透明保護樹脂を形成したものが利用できる。そして、太陽電池２の受光面側には、表面が凹凸状である透明樹脂フィルムが接着層を介して配置される。
【００１０】
この透明フィルムは、ＰＥＴフィルムの表面に、微粒子等のマット剤を練り込んで表面を凹凸状としたものであり、表面が、いわゆる、つや消し状態となる。この凹凸状の透明樹脂フィルムを太陽電池２の表面に用いることにより、太陽電池２を積み重ねて収納するとき、太陽電池２の表面が、この上の太陽電池２の裏面と接触してこすれ跡等の傷が発生しても、外観上目立たない。従って、収納構造にて輸送して、その後、腕時計等の電子機器に込み込むとき、太陽電池２が外観不良となることを低減できる。また、透明樹脂フィルムを凹凸状でなく、顔料又は光拡散効果のある微粒子（例えば、炭酸カルシウム、硫酸バリウム、アルミナ）を混入させて着色することによっても、上記と同様にこすれ跡等の傷が目立たないようにできる。更には、透明樹脂フィルムをなくして、透明電極層上の透明保護樹脂を凹凸状或は着色することによっても、上記と同様にこすれ跡等の傷が目立たないようにすることができる。
【００１１】
３は、筒体１の下端に圧入される略円盤形の下蓋体であって、緩衝材としても機能するために発泡ウレタン等の材料からなる。また、筒体１の凸部１ｐに係合する凹部３ｒを有している。
【００１２】
４は、筒体１の内側に圧入されて、太陽電池２を保持し、上下方向に移動可能な略円盤形の移動体であって、緩衝材としても機能できるように、弾性力のある発泡ウレタン等の材料からなる。また、移動体４は、筒体１の凸部１ｐに係合する凹部４ｒを備えているので、移動体４は筒体１に圧入された状態で、筒体１の凸部１ｐの延在方向（＝上下方向）に沿って、移動することができる。
【００１３】
図３は、移動体の他の例を示し、図１、２における移動体４との違いは、移動体５の直径を少し小さくし、外周部に複数の凸部５ｐを設けた点である。これにより、移動体５を筒体１に圧入したとき、筒体１の内壁に、移動体５の凸部５ｐが圧接して、上下に移動できる。
【００１４】
６は、筒体１の上端に圧入される略円盤形の上蓋体であって、緩衝材としても機能するために発泡ウレタン等の材料からなる。また、筒体１の凸部１ｐに係合する凹部６ｒを有している。
【００１５】
以上の構成の太陽電池収納構造について、以下に、収納手順を説明する。図４は、初めの収納手順を示すものであり、筒体１に下蓋体３を装着し、筒体１の上部に移動体４を設置する。この状態で、移動体４の中心部に、金属からなる棒体７を仮設置する。必要に応じて、移動体４の中心部に、棒体５を仮固定するための穴を設けてもよい。
【００１６】
次に、棒体７に、太陽電池２の開口２ｃを通すことにより、太陽電池２を容易に筒体１に導き、太陽電池２の凹部２ｂを、筒体１内側の凸部１ｐに対向、係合させることにより、太陽電池２が斜めになることなく、太陽電池２を適正に筒体１内に、収納することができる。また、筒体１のスリット１ｓにて、太陽電池２の収納枚数、太陽電池２が適正に収納されているかどうかについて確認することができる。
【００１７】
そして、このように、複数の太陽電池２を筒体１に収納する作業時に、最上の太陽電池２が筒体１内に入るように、最上の太陽電池２を上から押圧したり、棒体７を下に押圧することにより、移動体４を徐々に下に移動させて、収納作業を行う。所定数の太陽電池２を収納し、最後に、棒体７を取り去り、上蓋体６を圧入して、図１に開示した太陽電池収納構造が完成する。また、棒体７については、収納作業後の収納構造において、移動体４と上蓋体６との間に棒体７を固定した状態のまま、収納構造を輸送するなら、太陽電池２の振動等を抑制することができる。
【００１８】
更には、上記実施例の収納構造を受け取ったユーザーは、上蓋体６を外し、太陽電池２を１枚、１枚取り出す毎に、移動体３をその分上に移動させることにより、容易に太陽電池を取り出すことができる。また、このような取り出し方法を採用する自動機を利用することも可能である。
【００１９】
【発明の効果】
本発明は、複数の太陽電池を積み重ねた状態で筒体に収納するので、包装材料の無駄が少なく、単位体積あたりの太陽電池の収納数が大きい。
【００２０】
また、本発明は、太陽電池を収納した状態で、太陽電池の外周部の切り込み部に対向して、筒体の内側に上下方向に延在する凸部が配置されることにより、太陽電池が斜めになることなく、太陽電池を適正に筒体内に、収納することができる。
【００２１】
本発明は、太陽電池の表面は、凹凸状或は着色されているので、太陽電池を積み重ねて収納するとき、太陽電池の表面が、この上の太陽電池の裏面と接触してこすれ跡等の傷が発生しても、外観上目立たない。
【００２２】
本発明は、太陽電池の略中央の開口に、棒体を貫通させて、太陽電池の収納作業を行い、或は収納作業後の収納状態としているので、太陽電池を容易に筒体に収納することができ、また、収納状態での輸送時において、太陽電池の振動等を抑制することができる。
【００２３】
本発明において、複数の太陽電池は、筒体内部で筒体の延在方向に移動可能な移動体の上に保持されていることより、移動体を移動させることで、太陽電池を収納したり、取り出したりすることができる。
【図面の簡単な説明】
【図１】本発明の一実施例を示す図であり、（a）は斜視図、（ｂ）は（a）におけるA−A断面図である。
【図２】本発明の一実施例の分解斜視図である。
【図３】本発明の移動体の他の例を示し、（a）は上面図、（ｂ）は側面図である。
【図４】本発明の収納手順を示す斜視図である。
【符号の説明】
１  筒体
１ｐ  凸部
２  太陽電池
２ｂ  切り込み部
２ｃ  開口
４  移動体
７  棒体
【図１】
0004036576.tif 000002
【図２】
0004036576.tif 000003
【図３】
0004036576.tif 000004
【図４】
0004036576.tif 000005